(57)【要約】【課題】限られたスペースにガイドローラを装着したエレベータの釣合錘を提供する。【解決手段】左右一対の錘側ガイドレールに案内されて昇降する釣合錘は、錘を収納する錘本体と、前記錘側ガイドレールの表面上を転動して前記錘本体を左右方向に位置決めする、前記錘本体に回転自在に支持された第１のガイドローラとを備え、前記第１のガイドローラは、少なくともその一部が前記錘本体の内側に位置するように配設される。これにより、釣合錘を懸架する錘側シーブとの干渉を回避しつつ、限られたスペース内に第１のガイドローラを配設して、昇降に伴う振動や騒音を減少させることができる。【選択図】図１
2011037581.tif 000002
【特許請求の範囲】
【請求項１】
左右一対の錘側ガイドレールに案内されて昇降する釣合錘であって、
錘を収納した錘本体と、
前記錘側ガイドレールの表面上を転動して前記錘本体を左右方向に位置決めする、前記錘本体に回転自在に支持された第１のガイドローラと、を備え、
前記第１のガイドローラは、少なくともその一部が前記錘本体の内側に位置するように配設されていることを特徴とするエレベータの釣合錘。
【請求項２】
前記錘側ガイドレールは、その断面形状がＬ字形に形成されるとともに、その隣接する一対の内側側面が前記第１のガイドローラの外周部を前後方向に挟持するように配設されていることを特徴とする請求項１に記載したエレベータの釣合錘。
【請求項３】
前記錘側ガイドレールの断面形状がコ字形に形成されるとともに、
前記錘側ガイドレールの表面上を転動して前記錘本体を前後方向に位置決めする、前記錘本体に回転自在に支持された第２のガイドローラをさらに備え、
前記第１および第２のガイドローラが、前記錘側ガイドレールのうち互いに平行に左右方向に延びる一対の内側側面の間の空間内に配置されていることを特徴とする請求項１に記載したエレベータの釣合錘。
【請求項４】
前記第２のガイドローラは、前記一対の内側側面の前後方向の間隔よりもわずかに小さい外径を有していることを特徴とする請求項３に記載したエレベータの釣合錘。
【請求項５】
左右一対の錘側ガイドレールに案内されて昇降する釣合錘であって、
錘を収納した錘本体と、
前記錘側ガイドレールの表面上を摺動して前記錘本体を左右方向に位置決めする、前記錘本体に回転自在に支持された第１のガイドシューと、
前記錘側ガイドレールの表面上を転動して前記錘本体を前後方向に位置決めする、前記錘本体に回転自在に支持された第２のガイドローラと、を備えることを特徴とするエレベータの釣合錘。
【請求項６】
前記錘側ガイドレールの表面上を摺動して前記錘本体を前後方向に位置決めする第２のガイドシューをさらに備え、
前記第２のガイドローラおよび前記第２のガイドシューは、前記錘側ガイドレールを前後方向に挟持するように配置されていることを特徴とする請求項５に記載したエレベータの釣合錘。
【発明の詳細な説明】
【技術分野】
【０００１】
本発明は、エレベータの釣合錘に関し、より詳しくは、錘側ガードレールの表面上を転動して釣合錘の昇降を案内するガイドローラを釣合錘の限られたスペースに装着可能とする技術に関する。
【背景技術】
【０００２】
従来、エレベータにおいては、巻上機のトラクションシーブにメインロープを巻装するとともに、このメインロープの一端で乗りかごを懸架しつつ他端で釣合錘を懸架するようになっている。
【０００３】
ここで図８を参照して釣合錘の構造について概説すると、マシンルームレスエレベータの釣合錘１は、左右一対の錘側ガイドレール２Ｌ，２Ｒに案内されて昇降路の内部を昇降するとともに、その左右一対の縦梁３ａ，３ｂの下端同士を連結する下梁４には多数の錘板５が載置されている。
また、左右一対の縦梁３ａ，３ｂの上端同士を連結する上梁６には左右一対の錘側シーブ７ａ，７ｂが回転自在に支持されてメインロープ８が巻装されている。
さらに、縦梁３ａ，３ｂの上部および下部にはガイドシュー９がそれぞれ取り付けられ、錘側ガイドレール２Ｌ，２Ｒの表面上を摺動して釣合錘１の昇降を案内している（例えば、下記特許文献１を参照）。
【先行技術文献】
【特許文献】
【０００４】
【特許文献１】特開２００７−５５７７３号公報
【発明の概要】
【発明が解決しようとする課題】
【０００５】
ところで、上述した釣合錘１はガイドシュー９を用いてその昇降を案内する構造であるため、錘側ガイドレール２Ｌ，２Ｒに定期的に給油する必要があるばかりでなく、ガイドローラを用いる構造の釣合錘に比較すると振動や騒音の面で改善の余地がある。
【０００６】
しかしながら、上述した釣合錘１の上部には左右一対の錘側シーブ７ａ，７ｂが設けられている。
これにより、錘側ガイドレール２Ｌ，２Ｒの表面上を転動して釣合錘１を前後左右に位置決めしつつその昇降を案内するガイドローラ組立体のうち、釣合錘１を左右方向に位置決めするガイドローラを装着するためのスペースを確保することができない。
【０００７】
そこで本発明の目的は、上述した従来技術が有する問題点を解消し、その限られたスペース内にガイドローラを装着したエレベータの釣合錘を提供することにある。
【課題を解決するための手段】
【０００８】
上記の課題を解決するための請求項１に記載した手段は、
左右一対の錘側ガイドレールに案内されて昇降する釣合錘であって、
錘を収納した錘本体と、
前記錘側ガイドレールの表面上を転動して前記錘本体を左右方向に位置決めする、前記錘本体に回転自在に支持された第１のガイドローラと、を備え、
前記第１のガイドローラは、少なくともその一部が前記錘本体の内側に位置するように配設されていることを特徴とする。
【０００９】
すなわち、請求項１に記載したエレベータの釣合錘は、その錘本体を左右方向に位置決めする第１のガイドローラの少なくとも一部を錘本体の内側に配設する構造であるから、釣合錘を懸架するための錘側シーブとの干渉を回避しつつ、この第１のガイドローラを錘本体に装着することができる。
また、錘本体を左右方向に位置決めするためのガイドシューを無くすことができから、昇降に伴って発生する振動や騒音を低減することができる。
【００１０】
また、請求項２に記載した手段は、請求項１に記載したエレベータの釣合錘において、  前記錘側ガイドレールは、その断面形状がＬ字形に形成されるとともに、その隣接する一対の内側側面が前記第１のガイドローラの外周部を前後方向に挟持するように配設されることを特徴とする。
【００１１】
すなわち、請求項２に記載したエレベータの釣合錘においては、第１のガイドローラの外周部が、断面形状Ｌ字形の錘側ガイドレールのうち隣接する一対の内側側面の両方にまたがって転動する構造である。
これにより、第１のガイドローラによって釣合錘を左右方向および前後方向に位置決めすることができるから、釣合錘を前後方向に位置決めするための追加のガイドローラが不要となり、釣合錘の限られたスペース内に第１のガイドローラを容易に装着することができる。
【００１２】
また、請求項３に記載した手段は、請求項１に記載したエレベータの釣合錘において、
前記錘側ガイドレールの断面形状がコ字形に形成されるとともに、
前記錘側ガイドレールの表面上を転動して前記錘本体を前後方向に位置決めする、前記錘本体に回転自在に支持された第２のガイドローラをさらに備え、
前記第１および第２のガイドローラが、前記錘側ガイドレールのうち互いに平行に左右方向に延びる一対の内側側面の間の空間内に配置されていることを特徴とする。
【００１３】
すなわち、請求項３に記載したエレベータの釣合錘は、断面形状コ字形の錘側ガイドレールの内側空間内に第１および第２のガイドローラを配設する構造である。
これにより、錘本体を前後方向に位置決めするための一対の第２のガイドローラを前後方向に並べて配置する構造に比較して、第２のガイドローラを配設するために必要な前後方向のスペースを大幅に縮小させることができるから、釣合錘の限られたスペース内にガイドローラを装着することが可能となる。
このとき、上下一対の第２のガイドローラを前後方向にオフセットして配設し、一方の第２のガイドローラが錘側ガイドレールの一方の内側側面上を転動し、他方の第２のガイドローラが他方の内側側面上を転動するように構成することにより、錘本体を前後方向に変位させることなく滑らかに昇降させることができる。
【００１４】
また、請求項４に記載した手段は、請求項３に記載したエレベータの釣合錘において、
前記第２のガイドローラは、前記一対の内側側面の前後方向の間隔よりもわずかに小さい外径を有していることを特徴とする。
【００１５】
すなわち、請求項４に記載したエレベータの釣合錘においては、断面形状コ字形の錘側ガイドレールの内側空間内に配設した単一の第２のガイドローラが、錘側ガイドレールの互いに平行に左右方向に延びる前後一対の内側側面のいずれかに接触しながら錘本体を前後方向に位置決めする構造である。
これにより、錘本体を前後方向に位置決めするための第２のガイドローラを一つとすることができるから、釣合錘の限られたスペース内にガイドローラを装着することが可能となる。
【００１６】
また、上記の課題を解決するための請求項５に記載した手段は、
左右一対の錘側ガイドレールに案内されて昇降する釣合錘であって、
錘を収納した錘本体と、
前記錘側ガイドレールの表面上を摺動して前記錘本体を左右方向に位置決めする、前記錘本体に回転自在に支持された第１のガイドシューと、
前記錘側ガイドレールの表面上を転動して前記錘本体を前後方向に位置決めする、前記錘本体に回転自在に支持された第２のガイドローラと、を備えることを特徴とする。
【００１７】
すなわち、請求項５に記載したエレベータの釣合錘は、左右方向の位置決めには第１のガイドシューを用いるが、前後方向の位置決めには第２のガイドローラを用いる構造である。
これにより、第１のガイドシューを小さくして錘側シーブとの干渉を回避することにより、釣合錘の限られたスペース内にガイドローラを装着できるようにしつつ、第２のガイドローラの採用によって振動や騒音を低減することができる。
【００１８】
また、請求項６に記載した手段は、請求項５に記載したエレベータの釣合錘において、
前記錘側ガイドレールの表面上を摺動して前記錘本体を前後方向に位置決めする第２のガイドシューをさらに備え、
前記第２のガイドローラおよび前記第２のガイドシューは、前記錘側ガイドレールを前後方向に挟持するように配置されることを特徴とする。
【００１９】
すなわち、請求項６に記載したエレベータの釣合錘においては、第２のガイドシューを小さくすることにより、第２のガイドローラおよび第２のガイドシューを前後方向に並設するために必要な前後方向のスペースを縮小させることができるから、釣合錘の限られたスペース内にガイドローラを装着することが可能となる。
【発明の効果】
【００２０】
本発明によると、その限られたスペース内にガイドローラを装着したエレベータの釣合錘を提供することができる。
【図面の簡単な説明】
【００２１】
【図１】第１実施形態のエレベータの釣合錘を示す正面図。
【図２】図１に示したガイド装置の要部拡大断面図。
【図３】図２に示したガイド装置の平面図。
【図４】第１変形例のガイド装置を示す平面図。
【図５】第２変形例のガイド装置を示す平面図。
【図６】第２実施形態のガイド装置を示す平面図。
【図７】第３実施形態のガイド装置を示す平面図。
【図８】第３変形例のガイド装置を示す平面図。
【図９】従来のエレベータの釣合錘を示す正面図。
【発明を実施するための形態】
【００２２】
以下、図１乃至図７を参照し、本発明に係るエレベータの釣合錘の各実施形態について詳細に説明する。
なお、以下の説明においては、前述した従来技術を含めて同一の部分には同一の符号を用いて重複した説明を省略するとともに、左右一対の錘側ガイドレールを結ぶ方向を左右方向とし、鉛直方向を上下方向とし、左右方向および上下方向に対して垂直な方向を前後方向と言う。
【００２３】
第１実施形態
まず最初に図１〜図３を参照し、第１実施形態の釣合錘について説明する。
【００２４】
図１に示したエレベータの釣合錘１００は、左右一対の錘側ガイドレール２Ｌ，２Ｒに案内されて昇降路の内部を昇降するものであり、錘本体１０と、この錘本体１０の上下左右の各部にそれぞれ取り付けられた４つのガイド装置２０とを備えている。
【００２５】
錘本体１０は、左右一対の縦梁１１ａ，１１ｂの下端同士を下梁１２によって連結するとともに、この下梁１２に多数の錘板５を載置する構造である。
また、左右一対の縦梁１１ａ，１１ｂの上端同士を連結する上梁１３には、この釣合錘１００を懸架するための左右一対の錘側シーブ７ａ，７ｂがそれぞれ回転自在に支持されてメインロープ８が巻装されている。
【００２６】
４つのガイド装置２０の構造は同一であるから、釣合錘１００の右側上部に取り付けられているガイド装置２０について、図２および図３を参照して説明する。
ガイド装置２０は、右側の縦梁１１ｂにボルト（図示せず）で固定されたブラケット２１と、このブラケット２１にそれぞれ回転自在に支持された第１のガイドローラ２２、および前後一対の第２のガイドローラ２３，２４を有している。
【００２７】
ブラケット２１は、縦梁１１ｂの右側の端面に密着して上下方向に延びる固定部分２１ａと、この固定部分２１ａに連設されて縦梁１１ｂの開口１１ｃから錘本体１０の内部に水平に延びる水平部分２１ｂと、この水平部分２１ｂにさらに連設されて上下方向に延びる縦壁部分２１ｃとを具備している。
そして、図２に示したように、錘側ガイドレール２Ｒの先端面２ａ上を転動して錘本体１０を左右方向に位置決めする第１のガイドローラ２２が、ブラケット２１の縦壁部分２１ｃに支持されて、前後方向に延びる水平軸線の回りに回転するようになっている。
さらに、図３に示したように、錘側ガイドレール２Ｒの前後の側面２ｂ，２ｃ上をそれぞれ転動して錘本体１０を前後方向に位置決めする前後一対の第２のガイドローラ２３，２４が、ブラケット２１の固定部分２１ａに支持されて、左右方向に延びる水平軸線の回りにそれぞれ回転するようになっている。
【００２８】
すなわち、本第１実施形態のエレベータの釣合錘１００においては、錘本体１０の上部の左右にそれぞれ取り付けられた各ガイド装置２０における第１のガイドローラ２２が、そのほぼ全体が錘本体１０の内側に位置するように配設されている。
これにより、これらの第１のガイドローラ２２は、左右一対の錘側シーブ７ａ，７ｂとそれぞれ干渉することがない。
また、これらの第１のガイドローラ２２は、上梁１３と錘板５との間の隙間内に配置されているから、錘板５と干渉することもない。
さらに、図１に示したように、錘本体１０の下部の左右にそれぞれ取り付けられた各ガイド装置２０における第１のガイドローラ２２は、それぞれ錘本体１０の下方に配設されていて錘本体１０と干渉することがない。
【００２９】
したがって、本第１実施形態のエレベータの釣合錘１００においては、錘本体１０の限られたスペース内に第１のガイドローラ２２をそれぞれ装着して、錘本体１０を左右方向に位置決めするためのガイドシューを無くすことができるから、昇降に伴って発生する振動や騒音を低減することができる。
【００３０】
第１変形例
次に図４を参照し、第１変形例のエレベータの釣合錘１１０について説明する。
【００３１】
図４に示した第１変形例の釣合錘１１０においては、錘本体１０の上部の左右にガイド装置３０がそれぞれ取り付けられている。
これらのガイド装置３０は、縦梁１１ｂにボルト（図示せず）で固定されたブラケット３１と、このブラケット３１に固着された第１のガイドシュー３２、およびブラケット３１に回転自在に支持された前後一対の第２のガイドローラ３３，３４を有している。
【００３２】
第１のガイドシュー３１は、錘側ガイドレール２Ｒの先端面２ａ上を摺動して錘本体１０を左右方向に位置決めする。
また、前後一対の第２のガイドローラ３３，３４は、ブラケット３１に支持されて、錘側ガイドレール２を前後方向に挟持しながら、左右方向に延びる水平軸線の回りにそれぞれ回転するようになっている。
【００３３】
すなわち、本第１変形例の釣合錘１１０は、上述した第１実施形態の釣合錘１００における第１のガイドローラ２２を、第１のガイドシュー３２に置き換えたものである。
これにより、錘側シーブ７ａ，７ｂと錘板５との間に第１のガイドローラ２２を配設するスペースを確保できない場合でも、錘本体１０を確実に左右方向に位置決めすることができる。
また、ガイド装置３０の左右方向の寸法を大幅に短縮することができるから、錘本体１０の左右一対の縦梁１１ａ，１１ｂの左右の側面のうち、上下方向の任意の場所にこのガイド装置３０を装着することができる。
さらに、前後一対の第２のガイドローラ３３，３４によって錘本体１０を前後方向に位置決めする構造であるから、錘本体１０の昇降に伴って発生する振動や騒音を低減することができる。
【００３４】
第２変形例
次に図５を参照し、第２変形例のエレベータの釣合錘１２０について説明する。
【００３５】
図５に示した第２変形例の釣合錘１２０は、上述した第１変形例におけるガイド装置３０を、別個のガイド装置３５に置き換えたものである。
このガイド装置３５は、第１変形例のガイド装置３０における前後一対の第２のガイドローラ３３，３４の一方を第２のガイドシュー３６に置き換えるとともに、平板状のブラケット３１をＬ字形のブラケット３７に置き換えたものである。
【００３６】
すなわち、第２変形例の釣合錘１２０においては、ガイド装置３５の前後方向の寸法を大幅に短縮することができる。
これにより、錘本体１０の左右一対の縦梁１１ａ，１１ｂの左右の側面のうち、上下方向の任意の場所にこのガイド装置３５を装着することができる。
【００３７】
第２実施形態
次に図６を参照し、第２実施形態のエレベータの釣合錘２００について説明する。
【００３８】
本第２実施形態の釣合錘２００は、前述した第１実施形態の釣合錘１００における各ガイド装置２０を、図６に示したガイド装置４０に置き換えるとともに、錘側ガイドレールの断面形状をＬ字形に変更したものである。
【００３９】
図６に示したように、ガイド装置４０は、縦梁１１ｂにボルト（図示せず）で固定されたブラケット４１と、このブラケット４１にそれぞれ回転自在に支持された第１のガイドローラ４２を有している。
【００４０】
ブラケット４１は、縦梁１１ｂの右側面に密着して上下方向に延びる固定部分４１ａと、この固定部分４１ａに連設されて縦梁１１ｂの開口１１ｃから錘本体１０の内部に水平に延びる水平部分４１ｂと、この水平部分４１ｂに連設されて上下方向に延びる縦壁部分４１ｃとを具備している。
そして、第１のガイドローラ４２は、ブラケット４１の縦壁部分４１ｃに支持されて、前後方向に延びる水平軸線の回りに回転するようになっている。
【００４１】
錘側ガイドレール４３は、その断面形状がＬ字形に形成されるとともに、その隣接する一対の内側側面４３ａ，４３ｂが第１のガイドローラ４２の外周部を前後方向に挟持するように配設されている。
具体的に説明すると、一対の内側側面４３ａ，４３ｂは、第１のガイドローラ４２の中心を通って左右方向に延びる軸線Ｃに対し、それぞれ４５度をなすように傾斜しつつ軸線Ｃに対して前後方向に対称となるように配設されている。
【００４２】
すなわち、本第２実施形態の釣合錘２００においては、第１のガイドローラ４２の外周部が、断面形状Ｌ字形の錘側ガイドレール４３のうち隣接する一対の内側側面４３ａ，４３ｂの両方にまたがって転動する構造である。
これにより、一つの第１のガイドローラ４２によって錘本体１０を左右方向および前後方向にそれぞれ位置決めすることができるから、錘本体１０を前後方向に位置決めするための追加のガイドローラが不要である。
これにより、釣合錘２００の限られたスペース内に第１のガイドローラ４２を容易に装着することができる。
【００４３】
第３実施形態
次に図７を参照し、第３実施形態のエレベータの釣合錘３００について説明する。
【００４４】
本第３実施形態の釣合錘３００は、前述した第１実施形態の釣合錘１００における各ガイド装置２０を、図７に示したガイド装置５０に置き換えるとともに、錘側ガイドレールの断面形状をコ字形に変更したものである。
【００４５】
図７に示したように、ガイド装置５０は、縦梁１１ｂにボルト（図示せず）で固定されたブラケット５１と、このブラケット５１にそれぞれ回転自在に支持された第１および第２のガイドローラ５２，５３とを有している。
【００４６】
ブラケット５１は、縦梁１１ｂの右側面に密着して上下方向に延びる固定部分５１ａと、この固定部分５１ａに連設されて縦梁１１ｂの開口１１ｃから錘本体１０の内部に水平に延びる水平部分５１ｂと、この水平部分５１ｂに連設されて上下方向に延びる縦壁部分５１ｃとを具備している。
そして、第１のガイドローラ５２は、ブラケット５１の縦壁部分５１ｃに支持されて、前後方向に延びる水平軸線の回りに回転するようになっている。
また、第２のガイドローラ５３は、ブラケット５１の固定部分５１ａに支持されて、左右方向に延びる水平軸線の回りに回転するようになっている。
【００４７】
錘側ガイドレール５４は、その断面形状がコ字形に形成されるとともに、その内側側面のうち奥部の側面５４ａが前後方向に延びるとともに、互いに対向しつつ平行に延びる前後一対の側面５４ｂ，５４ｃが左右方向に延びるように配設されている。
これにより、第１のガイドローラ５２は奥部の側面５４ａ上を転動して、錘本体１０を左右方向に位置決めする。
【００４８】
一方、第２のガイドローラ５３の外径Ｄの値は、錘側ガイドレール５４の互いに平行に延びる一対の側面５４ｂ，５４ｃの前後方向の間隔寸法Ｗの値よりもわずかに、例えば１〜２ミリメートル程度小さく設定されている。
これにより、第２のガイドローラ５３は、あるときには一方の側面５４ｂ上を転動し、あるときには他方の側面５４ｃ上を転動して、錘本体１０を前後方向に位置決めする。
【００４９】
すなわち、本第３実施形態の釣合錘３００は、断面形状コ字形の錘側ガイドレール５４の内側空間内に第１および第２のガイドローラ５２，５３を配設する構造である。
これにより、このガイド装置５０は、図１に示した第１実施形態のガイド装置２０のように第２のガイドローラ２３，２４を前後方向に並設する構造に比較すると、その前後方向の寸法を大幅に縮小することができるから、釣合錘３００の限られたスペース内に第１および第２のガイドローラ５２，５３を容易に装着することができる。
【００５０】
第３変形例
次に図８を参照し、上述した第３実施形態のエレベータの釣合錘３００の変形例について説明する。
【００５１】
上述した第３実施形態の釣合錘３００におけるガイド装置５０は、第２のガイドローラ５３を一つだけ用いる構造であった。
これに対して、本第３変形例の釣合錘３１０のガイド装置５５は、上下一対の第２のガイドローラを用いる構造となっている。
【００５２】
具体的に説明すると、断面形状コ字形の錘側ガイドレール５４の内側空間には、第１のガイドローラ５２の上側に一方の第２のガイドローラ５６が配設され、第１のガイドローラ５２の下側に他方の第２のガイドローラ５７が配設されている。
また、第２のガイドローラ５６，５７の外径Ｄ２は、第３実施形態のガイド装置５０における第２のガイドローラ５３の外径Ｄ１に比較するとかなり小さい値となっている。
そして、一方の第２のガイドローラ５６が常に一方の内側側面５４ｂ上を転動するとともに、他方の第２のガイドローラ５６が常に他方の内側側面５４ｃ上を転動して、錘本体１０を前後方向に位置決めするようになっている。
【００５３】
すなわち、本第３変形例の釣合錘３１０は、上下一対の第２のガイドローラ５６，５７が錘側ガイドレール５４の内側側面５４ｂ，５４ｃに常に接触する構造である。
これにより、昇降に伴って錘本体１０が前後方向に変位することはないから、重量の大きい釣合錘３１０の昇降を案内するガイド装置として特に適している。
【００５４】
以上、本発明に係るエレベータの釣合錘の各実施形態について詳しく説明したが、本発明は上述した各実施形態によって限定されるものではなく、種々の変更が可能であることは言うまでもない。
例えば、上述した第１実施形態の釣合錘１００においては、錘本体１０の下部に取り付けたガイド装置２０の第１のガイドローラ２２が錘本体１０の下方に配設されているが、錘本体１０の上部に取り付けたガイド装置２０のように、第１のガイドローラ２２を錘本体１０の内側に配設することができることは言うまでもない。
また、錘本体１０の下部に第１実施形態のガイド装置２０を用いつつ、錘本体１０の上部に第１変形例のガイド装置３０を用いることにより、錘側シーブ７ａ，７ｂとの干渉を回避しつつ、釣合錘の限られたスペース内にガイドローラを配設することができる。
【符号の説明】
【００５５】
１  従来の釣合錘
２Ｌ，２Ｒ  錘側ガイドレール
３ａ，３ｂ  縦梁
４  下梁
５  錘板
６  上梁
７ａ，７ｂ  錘側ガイドシーブ
８  メインロープ
９  ガイドシュー
１０  錘本体
１１ａ，１１ｂ  縦梁
１１ｃ  開口
１２  下梁
１３  上梁
２０  ガイド装置
２１  ブラケット
２２  第１のガイドローラ
２３，２４  第２のガイドローラ  
３０  第１変形例のガイド装置
３１  ブラケット
３２  第１のガイドシュー
３３，３４  第２のガイドローラ
３５  第２変形例のガイド装置
３６  第２のガイドシュー
３７  ブラケット
４０  第２実施形態のガイド装置
４１  ブラケット
４２  第１のガイドローラ
４３  第２実施形態の錘側ガイドレール
５０  第３実施形態のガイド装置
５１  ブラケット
５２  第１のガイドローラ
５３  第２のガイドローラ
５４  第３実施形態の錘側ガイドレール
５５  第３変形例のガイド装置
５６，５７  第２のガイドローラ
１００  第１実施形態の釣合錘
１１０  第１変形例の釣合錘
１２０  第２変形例の釣合錘
２００  第２実施形態の釣合錘
３００  第３実施形態の釣合錘
【図１】
2011037581.tif 000003
【図２】
2011037581.tif 000004
【図３】
2011037581.tif 000005
【図４】
2011037581.tif 000006
【図５】
2011037581.tif 000007
【図６】
2011037581.tif 000008
【図７】
2011037581.tif 000009
【図８】
2011037581.tif 000010
【図９】
2011037581.tif 000011